(57)【要約】【課題】小型で安価且つ取付け易いアンテナマスト取付金具及びアンテナ装置を提供する。【解決手段】前方側に形成した係止部とこの係止部の後方側において折曲形成された折曲板部とを供えた取付アングルと，当該取付アングルと前記アンテナマストとの間に位置した受金具と，前記アンテナマストに添着して，当該アンテナマストを前記受金具と挟持する挟持片と，前記取付アングル，前記受金具及び前記挟持片の両端部にそれぞれ挿通され，前記挟持片を前記受金具に近接するよう抑制するための各別の螺子棒とこれら螺子棒に螺合するナットとからなり，前記折曲板部はアンテナ反射器を支持する反射器支持杆と固着すると共に，前記受金具とも固着する。係止部に爪部を立設させ，係止部とアンテナ支持杆とを，アンテナ支持杆に設けた係止孔と嵌合させて取付ける。【選択図】  図３
2005269252.tif 000002
【特許請求の範囲】
【請求項１】
アンテナ支持杆をアンテナマストに取付けるためのアンテナマスト取付金具において，
前方側に形成した係止部とこの係止部の後方側において連設された取付部とを供えた取付アングルと，
当該取付アングルと前記アンテナマストとの間に位置して，前記アンテナマストを受け入れる凹部を切欠して形成した受金具と，
前記アンテナマストに添着して，当該アンテナマストを前記受金具と挟持する挟持片と，
前記取付アングル，前記受金具の取付部及び前記挟持片の両端部にそれぞれ挿通され，前記挟持片を前記受金具に近接するよう抑制するための各別の螺子棒とこれら螺子棒に螺合するナットとからなり，
前記取付アングルの取付部は，アンテナ反射器を支持する反射器支持杆若しくは反射器エレメントと固着すると共に前記受金具とも固着するように構成され，
前記取付アングルの係止部は，当該係止部に一体的に立設させた少なくとも1つの爪部を備えると共に，当該爪部に対抗配置させた係止孔を備えた上記アンテナ支持杆を，前記爪部と係止孔とを嵌合させて取付けるように構成されたことを特徴としたアンテナマスト取付金具。
【請求項２】
アンテナ支持杆をマストに取付けるためのアンテナマスト取付金具において，
前方側に形成した係止部とこの係止部の後方側において連設された取付部とを供えた取付アングルと，
当該取付アングルと前記アンテナマストとの間に位置して，両側に平板部備え中央部に前記アンテナマストを受け入れる凹部を断面略Ｍ字状に屈曲形成した受金具と，
前記アンテナマストに添着して，当該アンテナマストを前記受金具と挟持する挟持片と，
前記受金具の凹部の両側板に設けた挿通孔に連結部を可倒自在に組込ませると共に，螺子が形成された折曲部を前記挟持片の両端に挿通させて，前記挟持片を前記受金具に近接するよう抑制するためのＵ字ボルトと，前記折曲部の螺子に螺合するナットとからなり，
前記取付アングルの取付部は，アンテナ反射器を支持する反射器支持杆若しくは反射器エレメントと固着すると共に前記受金具とも固着するように構成され，
前記取付アングルの係止部は，当該係止部に一体的に立設させた少なくとも1つの爪部を備えると共に，当該爪部に対抗配置させた係止孔を備えた上記アンテナ支持杆を，前記爪部と係止孔とを嵌合させて取付けるように構成されたことを特徴としたアンテナマスト取付金具。
【請求項３】
前記アンテナマスト取付金具における前記取付アングルの係止部を，前記アンテナ支持杆に取付けたときに，前記アンテナ支持杆の軸線と前記アンテナマストの軸線とが交差するように配設したことを特徴とした請求項１又は請求項２に記載のアンテナマスト取付金具。
【請求項４】
前記アンテナ支持杆の軸線と前記アンテナマストの軸線とが直交交差するように配設したことを特徴とした請求項１乃至請求項３の何れかに記載のアンテナマスト取付金具。
【請求項５】
少なくとも前記取付アングルと，前記反射器支持杆若しくは反射器エレメントとは予め固着されて成ることを特徴とした請求項１乃至請求項４の何れかに記載のアンテナマスト取付装置。
【請求項６】
前記取付アングルの係止部は，前記アンテナ支持杆の外面の全周に達しない範囲で一部若しくは連続的に当接すると共に，前記係止部の長さ方向一側に開口部を形成するように屈曲形成され，少なくとも前記開口部の開口寸法は，前記アンテナ支持杆が当該アンテナ支持杆の長さ方向以外にも着脱可能に固着できる寸法から成るように形成されたことを特徴とした請求項１乃至請求項５の何れかに記載のアンテナマスト取付金具。
【請求項７】
アンテナ支持杆は略円形状若しくは略四角形状した事を特徴とした請求項１乃至請求項６に記載のアンテナマスト取付金具。
【請求項８】
前記アンテナ支持杆の外径をＡ寸法とすると，アンテナ支持杆の長さがＡ寸法の１０〜３０倍において，前記係止部は，長手方向の寸法がＡ寸法の１〜５倍，開口部の開口寸法がＡ寸法よりやや大きく形成され，前記爪部の幅はＡ寸法の０．０４〜０．５倍，前記係止部の肉厚を含めた高さはＡ寸法の０．１５〜１倍の大きさで前記係止部の前方側端部に立設させ，前記アンテナ支持杆の係止孔はＡ寸法の０．０４〜０．５倍よりやや大きくなるように形成したことをことを特徴とした請求項６又は請求項７に記載のアンテナマスト取付金具。
【請求項９】
請求項１乃至請求項８の何れかに記載のアンテナマスト取付装置を用いたことを特徴としたアンテナ装置。
【発明の詳細な説明】
【技術分野】
【０００１】
本発明は，主にアンテナをアンテナマストに取付けるためのアンテナマスト取付金具の機構に関するものであり，特にアンテナを安全に組み付け可能で，コンパクトに構成できる取付金具及びこの取付金具を備えたアンテナ装置を提供することにある。
【背景技術】
【０００２】
従来のアンテナであって，特に小型のアンテナ（例えば普及型のＵＨＦ帯受信用アンテナ）では，アンテナアームをアンテナマストに直交して水平になるように取付けるために，反射器より後方にアンテナアームを延長し，当該延長部とアンテナマストとをアンテナマスト取付金具で相互に交叉するように取付ける方法が一般的に用いられている。
（例えば，特許文献１参照）
この代表例を詳しく説明する。この例によるとアンテナマスト１とアンテナアーム３との間に位置する座部材２と，上記アンテナマスト１の外面に添着される押え板部材４及び前記アンテナアーム３の外面に添着される当て板部材５と，これらの金具の両端部と前記アンテナアーム３に夫々挿通された各別の螺子棒６，６と，この螺子に螺合するナット７，７とからなり，当該ナット７，７を締着させることによって前記アンテナアーム３と前記アンテナマスト１とを夫々の金具でもって挟持し，前記アンテナアーム３と前記アンテナマストとは相互に交叉するように取付けられる構造となっていた。
（例えば，特許文献２の図１参照）
【０００３】
【特許文献１】実開昭５２−５５１４４号公報
【特許文献２】実開昭５９−１６６５０５号公報の第１図
【発明の開示】
【発明が解決しようとする課題】
【０００４】
しかし，例えば地上ディジタル放送を新たに受信しようとして，新しくアンテナを追加する場合，ベランダ等にアンテナを設置することによって簡単且つ安価に工事を行う方法が考えられる。
このようにアンテナをベランダ等に設置する場合，電界強度の強い地域においては，アンテナはコンパクトに設計された小型アンテナを用いる方が設置工事も容易であるし安価に設置できるといったメリットがある。ところが，ベランダ等に設置する小型アンテナでは，従来のようにアンテナアーム（以下，アンテナ支持杆と呼ぶ。）をアンテナの反射器の後方側に突出させ，当該突出部とアンテナマストとが相互に交叉するように取付けられるように構成されていると，前記アンテナ支持杆の後端部が突出し，ベランダを利用するユーザーにとっては邪魔になったり危険になったりすることが考えられた。更にベランダを利用押して取付けるようなアンテナはその取付けにおいて容易であるばかりでなく取付時や取付後の安全性が求められることになる。
また，アンテナ支持杆が長いと，工場出荷時の荷姿が大きくなるので，梱包材がたくさん必要となり，この結果，運送費が高くなるといった問題が生じると共に，延いては製品のコストが高くなるといった問題があった。
そこで本願においては，こうした問題点を解決するためになされたものであり，
その目的は，取付けの容易なアンテナマスト取付金具を提供することにある。
他の目的は，コンパクトなアンテナを構成するためのアンテナマスト取付金具を提供することにある。
他の目的は，ベランダ等の取付時や設置後でも安全性の高いアンテナマスト取付金具を提供することにある。
他の目的は，コストの安価なアンテナマスト取付金具を提供することに有る。
他の目的は，梱包材の使用が少なくてすむアンテナマスト取付金具を提供することにある。
他の目的は，取付けの容易なアンテナ装置を提供することにある。
他の目的は，コンパクトなアンテナを構成するアンテナ装置を提供することにある。
他の目的は，ベランダ等の取付時や設置後でも安全性の高いアンテナ装置を提供することにある。
他の目的は，コストの安価なアンテナ装置を提供することに有る。
他の目的は，梱包材の使用が少なくてすむアンテナ装置を提供することにある。
【課題を解決するための手段】
【０００５】
上記課題を解決するために，請求項１の発明は，アンテナ支持杆をアンテナマストに取付けるためのアンテナマスト取付金具において，前方側に形成した係止部とこの係止部の後方側において連設された取付部とを供えた取付アングルと，当該取付アングルと前記アンテナマストとの間に位置して，前記アンテナマストを受け入れる凹部を切欠して形成した受金具と，前記アンテナマストに添着して，当該アンテナマストを前記受金具と挟持する挟持片と，前記取付アングル，前記受金具の取付部及び前記挟持片の両端部にそれぞれ挿通され，前記挟持片を前記受金具に近接するよう抑制するための各別の螺子棒とこれら螺子棒に螺合するナットとからなり，前記取付アングルの取付部は，アンテナ反射器を支持する反射器支持杆若しくは反射器エレメントと固着すると共に前記受金具とも固着するように構成され，前記取付アングルの係止部は，当該係止部に一体的に立設させた少なくとも1つの爪部を備えると共に，当該爪部に対抗配置させた係止孔を備えた上記アンテナ支持杆を，前記爪部と係止孔とを嵌合させて取付けるように構成される。
【０００６】
請求項２の発明は，アンテナ支持杆をマストに取付けるためのアンテナマスト取付金具において，前方側に形成した係止部とこの係止部の後方側において連設された取付部とを供えた取付アングルと，当該取付アングルと前記アンテナマストとの間に位置して，両側に平板部備え中央部に前記アンテナマストを受け入れる凹部を断面略Ｍ字状に屈曲形成した受金具と，前記アンテナマストに添着して，当該アンテナマストを前記受金具と挟持する挟持片と，前記受金具の凹部の両側板に設けた挿通孔に連結部を可倒自在に組込ませると共に，螺子が形成された折曲部を前記挟持片の両端に挿通させて，前記挟持片を前記受金具に近接するよう抑制するためのＵ字ボルトと，前記折曲部の螺子に螺合するナットとからなり，前記取付アングルの取付部は，アンテナ反射器を支持する反射器支持杆若しくは反射器エレメントと固着すると共に前記受金具とも固着するように構成され，前記取付アングルの係止部は，当該係止部に一体的に立設させた少なくとも1つの爪部を備えると共に，当該爪部に対抗配置させた係止孔を備えた上記アンテナ支持杆を，前記爪部と係止孔とを嵌合させて取付けるように構成される。
【０００７】
請求項３の発明は，請求項１又は請求項２に記載のアンテナマスト取付金具において，当該アンテナマスト取付金具における前記取付アングルの係止部を，前記アンテナ支持杆に取付けたときに，前記アンテナ支持杆の軸線と前記アンテナマストの軸線とが交差するように配設される。。
【０００８】
請求項４の発明は，請求項１乃至請求項３に記載のアンテナマスト取付金具において，前記アンテナ支持杆の軸線と前記アンテナマストの軸線とが直交交差するように配設される。
【０００９】
請求項５の発明は，請求項１乃至請求項４の何れかに記載のアンテナマスト取付金具において，少なくとも前記取付アングルと，前記反射器支持杆若しくは反射器エレメントとは予め固着される。
【００１０】
請求項６の発明は，請求項１乃至請求項５の何れかに記載のアンテナマスト取付金具において，前記取付アングルの係止部は，前記アンテナ支持杆の外面の全周に達しない範囲で一部若しくは連続的に当接すると共に，前記係止部の長さ方向一側に開口部を形成するように屈曲形成され，少なくとも前記開口部の開口寸法は，前記アンテナ支持杆が当該アンテナ支持杆の長さ方向以外にも着脱可能に固着できる寸法から成るように形成される。
【００１１】
請求項７の発明は，請求項１乃至請求項６に記載のアンテナマスト取付金具において，アンテナ支持杆は略円形状若しくは略四角形状に対応するように構成される。
【００１２】
請求項８の発明は，前記アンテナ支持杆の外径をＡ寸法とすると，アンテナ支持杆の長さがＡ寸法の１０〜３０倍において，前記係止部は，長手方向の寸法がＡ寸法の１〜５倍，開口部の開口寸法がＡ寸法よりやや大きく形成され，前記爪部の幅はＡ寸法の０．０４〜０．５倍，前記係止部の肉厚を含めた高さはＡ寸法の０．１５〜１倍の大きさで前記係止部の前方側端部に立設させ，前記アンテナ支持杆の係止孔はＡ寸法の０．０４〜０．５倍よりやや大きくなるように形成される。
【００１３】
請求項９の発明は，請求項１乃至請求項８の何れかに記載のアンテナマスト取付装置を用いてアンテナ装置が構成される。
【発明の効果】
【００１４】
請求項１及び請求項２の発明によれば，アンテナ支持杆をマストに直交して水平に取付けるためのアンテナマスト取付金具において，アンテナ反射器は前記取付アングルと受金具との間に位置し，アンテナマストは受金具と挟持片との間に位置し，少なくとも前記取付アングルの取付部は前記アンテナ反射器の支持杆もしくは反射器を構成するエレメントに固着されており，
この前記取付アングルの係止部は，当該係止部に一体的に立設させた少なくとも1つの爪部を備えると共に，当該爪部に対抗配置させた係止孔を備えた上記アンテナ支持杆を，前記爪部と係止孔とを嵌合させて取付けるように構成したので，前記係止部とアンテナ支持杆との固着手段の操作時や，取付後に万が一固着手段等が緩んだ時におけるアンテナ支持杆（つまりはアンテナ装置）の落下防止に対する安全対策の優れた取付金具を提供できると共に，アーム取付時の位置決め，固着手段の作業を確実にできるといった取扱性の良いアンテナマスト取付金具を提供できるのである。
【００１５】
請求項３の発明によれば，請求項１又は請求項２に記載のアンテナ取付金具において，少なくとも前記アンテナ支持杆の後端部はアンテナマストより前方側になるように，アンテナマストの軸線を含む同一平面上に配設されるように構成されるので，前記アンテナ支持杆が短く構成されて，当該アンテナ支持杆と前記アンテナマストが相互に交叉するように取付けられることが無く，前記アンテナ支持杆の後端部がベランダ側に突出し，ベランダを利用するユーザーにとっては邪魔になったり危険になったりすることのないアンテナマスト取付金具を提供できるのである。
【００１６】
請求項４の発明は，請求項１乃至請求項３に記載のアンテナマスト取付金具において，前記アンテナ支持杆の軸線と前記アンテナマストの軸線とが直交交差するように配設されるので，アンテナが水平方向に正しく取付可能となって，電波到来方向に対してアンテナの特性が最も良い状態で受信できるアンテナマスト取付金具を提供できるのである。
【００１７】
請求項５の発明によれば，請求項１乃至請求項４の何れかに記載のアンテナ取付金具は，少なくとも前記取付アングルを反射器支持杆若しくは反射器を構成するエレメントに予め固着するようにしたので，前記効果に加えて，ユーザーにとって組み立て及び設置の容易性が更によいアンテナ取付金具を提供できるのである。更に前記取付アングルは反射器が形成する平面から突出している寸法が僅かであるため，予め固着したとしても梱包状態における荷姿にあまり影響を与えることがないので，コスト削減，製品単価の低減が実現できるアンテナマスト取付金具が提供できるのである。
【００１８】
請求項６の発明によれば，請求項１乃至請求項５の何れかに記載のアンテナマスト取付金具において，前記取付アングルの係止部は，前記アンテナ支持杆の外面の全周に達しない範囲で一部若しくは連続的に当接すると共に，前記係止部の長さ方向一側に開口部を形成するように屈曲形成され，少なくとも前記開口部の開口寸法は，前記アンテナ支持杆が当該アンテナ支持杆の長さ方向以外にも着脱可能に固着できる寸法から成るように形成されているので，係止部がアンテナ支持杆の全周を覆うような構成ではなくなり，これによって小型で且つ軽量なアンテナマスト取付金具が提供できる。更に係止部の形状は屈曲形成されることにより，係止部の強度を更に向上させた信頼性の高いアンテナマスト取付金具を提供できるのである。
【００１９】
請求項７の発明によれば，請求項１乃至請求項６に記載のアンテナマスト取付金具において，アンテナ支持杆は略円形状若しくは略四角形状に対応するように構成したので，一般的に用いられているアンテナ支持杆の形状に適したアンテナマスト取付金具を提供できるのである。
【００２０】
請求項８の発明によれば，請求項６又は請求項７に記載のアンテナマスト取付金具において，前記アンテナ支持杆の外径をＡ寸法とすると，アンテナ支持杆の長さがＡ寸法の１０〜３０倍において，前記係止部は，長手方向の寸法がＡ寸法の１〜５倍，開口部の開口寸法がＡ寸法よりやや大きく形成され，前記爪部の幅はＡ寸法の０．０４〜０．５倍，前記係止部の肉厚を含めた高さはＡ寸法の０．１５〜１倍の大きさで前記係止部の前方側端部に立設させ，前記アンテナ支持杆の係止孔はＡ寸法の０．０４〜０．５倍よりやや大きくなるように形成したので，前記係止部は小型に形成することによって前記アンテナ支持杆の全周を覆わなくともアンテナ装置を十分な強度で持って保持できる。また係止部に備えた爪部寸法は，当該爪部に対応したアンテナ支持杆に備えた係止孔が，前記アンテナ支持杆の強度を著しく劣化させること無く，実用に充分な強度を有したアンテナ支持杆を提供することができる寸法であり，この爪部と係止孔とによって，信頼性の高いアンテナマスト取付金具を提供できるのである。
【００２１】
請求項９の発明によれば，請求項１乃至請求項８の何れかに記載のアンテナマスト取付金具を用いてアンテナ装置を構成したので，取付性が良くしかも安全に取り付けできると共に，アンテナ支持杆を短く構成することができることから工場出荷時の荷姿が小さくなり，これによって梱包材の材料が少なく，寸法形状を小さくすることになり，この結果，運送費が安くなり延いては製品のコストを低減することができるアンテナ装置を提供できるのである。
【発明を実施するための最良の形態】
【００２２】
以下に，本発明を具体化した実施形態の例を，図面を基に詳細に説明する。
図１本願の第１の実施例を示す。図２は本願の他の実施例を示す。図３は本発明の異なる実施例を示す。図４はアンテナ支持杆の取付手順を示す。図５（ａ）に取付状態の側面から見た要部断面図と，（ｂ）にこのときの上面から見た図を示す。図６（ａ）は第１の実施例,（ｂ）は他の実施例の側面から見た概略図である。図７に本発明の取付アングルの他の実施例を示す。図８は本願の実施例の要部の具体的な寸法を示す図面である。図９は係止部とアンテナ支持杆の形状の異なる例を示す。
【実施例１】
【００２３】
本願の発明は，図１に示す取付アングル１０と受金具２０と挟持片３０とから構成される。尚，以降の説明において方向を示す場合は，アンテナの取付方向を前方側として上側，下側，後方側を示す。
取付アングル２０は金属製材料等の剛性を有する材料で形成されており，前方側に形成した係止部１１とこの係止部１１の後方側において連設された取付部１２とから形成されている。この係止部１１は前記取付部１２から前方向に連設されており，断面略半月状に形成された湾曲部１３と湾曲部１３の両端部に連設された平板部１４とから成る。
この湾曲部１３の内側面，即ち下側にはアンテナのアーム２の後端部が取付けられるように，アーム２外周面の曲率に合わせて湾曲形成してある。更に湾曲部の前方向端部には略中央に湾曲部１３の内方向に切起した爪部１３ａが一体的に形成されている。アーム２には前記爪部１３ａと相対向する位置に係止孔２ａが形成されており，係止部１１の湾曲面１３にアーム２を取付ける時に，前記爪部１３ａを前記係止孔２ａに挿通さえながら取付けるように構成されている。
また，この係止部１１には少なくとも１つの挿通孔１１ａ（本願の実施例ではダルマ孔）が形成されており，加えて前記アーム２にもこの挿通孔１１ａと相対向する位置に図示されていないアーム２を貫通する貫通孔を備えさせて，前記係止部１１と前記アーム２との挿通孔に螺子棒１５を挿通させて，この螺子にナット１６を螺合することによって係止部１１とアーム２を固着するように構成されている。
前記平板部１４は係止部の強度を高めるためのものである。
【００２４】
ここで各部の具体的な寸法を示すと，前記アンテナ支持杆の外径をＡ寸法とすると，アンテナ支持杆の長さがＡ寸法の１０〜３０倍において，前記係止部は，長手方向の寸法がＡ寸法の１〜５倍，開口部の開口寸法がＡ寸法よりやや大きく形成され，前記爪部の幅はＡ寸法の０．０４〜０．５倍，前記係止部の肉厚を含めた高さはＡ寸法の０．１５〜１倍の大きさで前記係止部の前方側端部に立設させ，前記アンテナ支持杆の係止孔はＡ寸法の０．０４〜０．５倍よりやや大きくなるように形成る。例えばアンテナ支持杆が２２ｍｍとすると，２２０〜６６０ｍｍのアンテナ支持杆の場合，係止部１１の長さは２２〜１１０ｍｍ，係止部の開口寸法は２２ｍｍよりやや大きく形成され，爪部１３ａの幅は０．８８〜１１ｍｍ，前記係止部の肉厚を含めた高さは前記係止部の肉厚を含めて３．３〜２２ｍｍとなり，これに対応する係止孔の径は０．８８〜１１ｍｍよりやや大きくなるように形成される。実験的にはアンテナ支持杆の太さは２２ｍｍ，長さは４００ｍｍであり，係止部の長さは４５ｍｍ，爪部の幅は５ｍｍ，爪部の高さは６．５ｍｍであり，係止孔の径は６ｍｍである。
尚，本発明の実施例では係止部１１に湾曲部１３を設けた例を示しているが，この実施例に限定されるものではなく，図９（ａ），（ｂ），（ｄ），（ｅ）に示す如く，係止部の形状を断面略コ字状に形成しても良い。この場合はアンテナ支持杆は略四角形の場合にも，円形の場合にも対応可能である。また図９（ｃ），（ｅ）に示す如く，係止部の形状を断面略く字状に形成してもよい。この場合においてもアンテナ支持杆は，四角形及び円形の場合に対応可能である。
【００２５】
ここでアーム２を係止部１３に取付ける手順について図４を用いて説明する。先ず（ａ）に示すように，湾曲部１３に形成された挿通孔１１ａの大径孔と，アーム２の貫通孔２ｂにナット１６によって上下方向に移動自在に螺着された螺子棒１５の螺子頭とを対向配置させる。次に（ｂ）に示す如く螺子棒１５を上方向に押し上げて螺子頭を挿通孔１１ａに挿通させる。このように挿通させたなら（ｃ）に示す如くアーム２を後方（図において左方）に移動させて，螺子軸を小径孔に嵌合させると共に，爪部１３ａがアーム２に形成された係止孔２ａに挿入されるように取付ける。この状態において（ｄ）のようにナット１６を螺子棒１５に螺合させて係止部１１にアーム２を固着する。
こうして爪部１３ａと係止孔２ａとの係合と，更に加えて挿通孔１１ａの大径孔と小径孔との連設部分には突起部１１ｂを形成させることによって，ナット締め作業時や螺子棒が緩んだ時におけるアンテナ装置の落下防止に対する二重の安全対策がなされていると共に，アーム取付時の位置決め，螺子棒を確実に固定できるといった取付性のよい構成となっている。
図５に係止部にアンテナ支持杆を取付けた時の状態を示す。（ａ）は取付状態の側面から見た要部断面図であり，（ｂ）はこのときの上面から見た図を示す。
尚，本願の実施例によれば爪部１３ａは係止部１３の前方端部に一つ立設させているが，この実施例に限定されるものでなく，爪部を複数設けても良いし，その配置も係止部の任意の位置でも良いことは言うまでもない。また，爪部１３ａは係止部に対して直交させて一体的に形成されているが，特に直交させることに限定されるものでなく，例えば係止部１３の端部からやや前方に傾かせて形成することによって，アンテナ支持杆の取付状態において，前記爪部の前方側面の一部が前記係止孔の孔端に当接するように構成するようにしても良いし，更に爪部１３ａの先端部を前方向に折り返したように形成して，アンテナ支持杆の取付状態において，この折り返し部分が係止孔の内側近傍の内壁と係合するようにしても良いなど，実施例に限定されるものではない。
【００２６】
図７（ａ），（ｂ）に取付アングル１０の異なる実施例を示す。この実施例は係止部１１の湾曲部１３が上方に向かって開口するように構成されたものである。この実施例ではアンテナ支持杆２は係止部１１上方から湾曲部に載置されて，上述の実施例と同様に螺子棒１５とナット１６とで固着されるのである。このときアンテナ支持杆２の後端部は，取付部１２の一部を切り起した係止片１２ｃと係止部１１との間に係合すると共に，当該係止部１１の先端部に形成した爪部１３ａがアンテナ支持杆２に設けた係止孔２ａに挿入されることによって，アンテナ支持杆２の取付時に落下の危険等のない安定的な取付ができる。更には挿通孔１１ａに設けた突起部１１ｂによって螺子棒が緩み難い構成となっており，信頼性の高い構成となっている。
【００２７】
本願の実施例では取付部１２は略四角形をしており，この取付部１２の下部に前記係止部１１が直交するように一体的に連設されている。尚，この取付部１２の左右の両端部に切起部を前方方向に一体的に成形させて取付部１２の強度を高めるように形成しても良い。
更に取付部１２には透孔１２ａ，１２ａ，１２ｂが形成されており，これらの透孔は後述する受金具２０，挟持片３０とを取付けるためのものである。
この取付部１２は，本願において反射器３の反射器支持杆３ａ，３ａに溶接等の固着手段で持って取付けられている。また，反射器支持杆３ａは反射器３のエレメント３ｂと共用させてもよくこの場合，反射器エレメント３ｂに取付部１２を固着することになる。尚，上記実施例に示すように取付部１２と，反射器支持杆若しくは反射器エレメントとを溶接等で固着する方法だけでなく，受金具２０と取付部１２とでもって前記反射器支持杆３ａ若しくは反射器のエレメント３ｂを挟持する方法でもよい。
【００２８】
受金具２０は金属性材料等の剛性を有した材料を，受金部２２と当該受金部に引き続いて形成された上部及び下部を後方に折り返した折返部２１とからなる断面略コ字状に一体的に成形されており，前記上部折返部２１ａ及び下部折返部２１ｂの略中央には凹部２３ａ，図示されていない２３ｂが形成されている。この凹部はアンテナマスト８を受け入れるためのものである。
受金具２０には，前記取付アングル１０の取付部１２に設けた挿通孔１２ａ，１２ａ，１２ｂと相対向した位置に挿通孔２２ａ，２２ａ，２２ｂが形成されており，そのうちの挿通孔１２ｂ，２２ｂに螺子棒２６を挿通させてナット２７を螺合させることによって前記受金具２０と前記取付アングル１０とは反射器３を挟み込みながら取付けられる。
尚，この実施例では螺子棒２６とナット２７で固着する方法を述べたが，取付部１３若しくは受金具２２のどちらか一方の挿通孔を螺子山を備えた螺子孔にすることで，ナットを削減して固着する方法でもよい。また，この固着には１本の螺子棒を用いているが複数の螺子棒で固着する方法でも良い。
【００２９】
挟持片３０は金属性材料等の剛性を有した材料を中央部を湾曲させて折曲成形したもので，断面略コ字状に成形されており，その両端部には挿通孔３２，３２が備えられている。この挿通孔３２，３２は，前記取付部１２に設けた挿通孔１２ａ，１２ａ，前記受金具２０に設けた挿通孔２２ａ，２２ａと同一軸線上になるように配設されている。湾曲部３１（上側湾曲部３１ａ，下側湾曲部３１ｂ）はアンテナマスト８を受け入れるためのものであり，前記受金具２０の凹部２３とでもって前記アンテナマスト８を挟持する。この抑圧方法としては前記取付部１２の挿通孔１２ａ，１２ａ，前記受金具２０の挿通孔２２ａ，２２ａ，前記挟持片３０の挿通孔３２，３２に挿通した螺子棒２４，２４に備えた螺子にナット２５，２５を螺合させることによって行う。
図６（ａ）に本実施例の側面から見た要部の概略図を示す。
【実施例２】
【００３０】
次に本発明の第２の実施形態として図２を参照して説明する。尚，以下の説明では，上記第１の実施形態のアンテナマスト取付金具と同様の構成要素については同一符号を付与し，詳細な説明は省略する。                            
【００３１】
本願の実施例は，図２に示す取付アングル４０と受金具５０と挟持片３０とから構成される。尚，以降の説明において方向を示す場合は，アンテナの取付方向を前方側として上側，下側，後方側を示す。
取付アングル４０は金属製材料等の剛性を有した材料で形成されており，前方側に形成した係止部４１とこの係止部４１の後方側において一体的に連設された取付部４４とから形成されている。この係止部４１は前記取付部４４から前方向に連設されており，断面略半月状に形成された湾曲部４５と湾曲部の両端部に連設された平板部４６とから成る。
この湾曲部４５の内側面，即ち下側にはアンテナのアーム２の後端部が取付けられるように，アーム２外周面の曲率に合わせて湾曲形成してある。更に湾曲部の前方向端部には略中央に湾曲部４５の内方向に切起した爪部４５ａが一体的に形成されている。アーム２には前記爪部４５ａと相対向する位置に係止孔２ａが形成されており，係止部４１の湾曲面４５にアーム２を取付ける時に，前記爪部４５ａを前記係止孔２ａに挿通さえながら取付けるように構成されている。
また，この係止部４５には少なくとも１つの挿通孔４５ａ（本願の実施例ではダルマ孔）が形成されており，加えて前記アーム２にもこの挿通孔４５ａと相対向する位置に図示されていないアーム２を貫通する貫通孔を備えさせて，前記係止部４５と前記アーム２との挿通孔に螺子棒４７を挿通させて，この螺子にナット４８を螺合することによって係止部４５とアーム２を固着するように構成されている。アームと係止部との取付け手順は上記実施例と同様の方法である。
前記平板部４６は係止部４１の強度を高めるためのものである。
尚，この実施例２においても各部の寸法は上記第１の実施例と同様な構成となっている。
【００３２】
本願の実施例では，取付部４４は反射器３の反射器支持杆３ａに当て付けるよう，この反射器支持杆３ａの軸線方向に開口部を備えた断面略コ字状の当付部と４３，当該当付部４３の開口端に引き続き形成された当付平板部４２とからなる。
当付平板部４２には透孔４２ａ，４２ａが形成されており，これらの透孔は後述する受金具５０，挟持片３０とを取付けるためのものである。
本願の実施例においては，この取付部４０は，前記当付部４３に少なくとも１つの挿通孔４３ａを形成すると共に，当該挿通孔４３ａと相対向する前記反射器支持杆３ａに，図示されていない螺子孔を形成することによって，前記反射器支持杆３ａと取付部４４とを螺子棒４９を螺合させることによって固着する方法を示したが，前記取付部４４を予め反射器支持杆３ａに溶接等の固着手段で持って取付けるようにしてもよいし，反射器支持杆３ａには挿通孔を形成し，取付部４４の挿通孔を螺子孔としてもよい。また両方を貫通孔として螺子棒とナットで固着する方法でもよいことは言うまでもない。
【００３３】
受金具５０は金属性材料等の剛性を有した材料を，両側に平板部５２備え中央部に前記アンテナマストを受け入れる凹部５１を備えて断面略Ｍ字状に屈曲形成したものである。
受金具５０には，前記凹部５１の両側板に設けた挿通孔にＵ字ボルト５３の連結部５３ａが組込まれて可倒自在に係止されている。また受金具５０の平板部５２には，前記取付アングル４０の取付部４４の当付平板部４２に設けた挿通孔４２ａ，４２ａと相対向した位置に挿通孔５２ａ，５２ａが形成されており，これらの挿通孔４２ａ，５２ａに螺子棒５４，５４を挿通させてナット５５，５５を螺子に螺合させることによって前記受金具５０と前記取付アングル４０とは固着される。
【００３４】
挟持片３０は金属性材料等の剛性を有した材料を中央部を湾曲させて折曲成形したもので，断面略コ字状に成形されており，その両端部には挿通孔３２，３２が備えられている。この挿通孔３２，３２は，前記Ｕ字ボルト５３の螺子が形成された折曲部５３ｂに相対向する位置に形成されている。湾曲部３１はアンテナマス８を受け入れるためのものであり，前記受金具５０の凹部５１とでもって前記アンテナマスト８を挟持する。この抑圧方法としては前記挟持片３０の挿通孔３２に前記Ｕ字ボルトの折曲部５３ｂを挿通させて，当該折曲部５３ｂの螺子にナット２５，２５を螺合させることによって行う。
図６（ｂ）に本実施例の側面から見た要部の概略図を示す。
【００３５】
このように本願の実施例によれば，アンテナ反射器３を前記取付アングル１０（又は４０）と受金具２０（又は５０）との間に位置させ，少なくとも前記取付アングル１０（又は４０）が前記アンテナ反射器の支持杆３ａもしくは反射器を構成するエレメント３ｂに固着されることによって，前記取付アングル１０（又は４０）の前方側係止部１１（又は４１）を，前記アンテナ支持杆２の後端部外面に取付けたときに，前記アンテナ支持杆２の軸線と前記アンテナマスト８の軸線とが直交交差するように配設されることになり，少なくとも前記アンテナ支持杆２の後端部はアンテナマスト８より前方側になるように配設されるので，前記アンテナ支持杆と前記アンテナマストが相互に交叉するように取付けられることが無く，前記アンテナ支持杆の後端部がベランダ側に突出し，ベランダを利用するユーザーにとっては邪魔になったり危険になったりすることのないアンテナマスト取付金具及び当該アンテナ取付金具を備えたアンテナ装置を提供できるのである。
また，アンテナ支持杆が短く構成されているので，工場出荷時の荷姿が小さくなるので，言うまでもなく梱包材の材料が少なく，寸法形状を小さくすることになり，この結果，運送費が安くなり延いては製品のコストを低減することができるアンテナマスト取付金具及び当該アンテナマスト取付金具を備えたアンテナ装置を提供できるのである。
尚，本発明は上記実施の形態に限定されるものではなく，例えば挟持片は中央部を屈曲形成せずに断面略コ字状に形成し，アンテナマストに当接させる湾曲部だけ切欠いた構成としても良いし，また図３に示すように本願の実施例に示す取付アングルと本願の他の実施例に示す受金具との組み合わせのように各構成要素を組み合わせて使っても良いし，反射器支持杆の替わりに反射器エレメントに取付アングルを固着しても良いなど，本発明の趣旨を逸脱しない範囲で各部の構成を適宜に変更して実施することも可能である。
【図面の簡単な説明】
【００３６】
【図１】本発明に係るアンテナマスト取付金具の実施形態例を示す。
【図２】本発明に係るアンテナマスト取付金具の他の実施形態例を示す。
【図３】本発明に係るアンテナマスト取付金具の異なる実施形態例を示す。
【図４】アンテナ支持杆の取付手順を示す。
【図５】（ａ）に取付状態の側面から見た要部断面図と，（ｂ）にこのときの上面から見た図を示す。
【図６】（ａ）は第１の実施例を側面から見た概略図,（ｂ）は他の実施例の側面から見た概略図である。
【図７】本発明のアンテナマスト取付金具の取付アングルの他の実施例を示す。
【図８】本願の実施例の要部の具体的な寸法を示す図面である。
【図９】は係止部とアンテナ支持杆の形状の異なる例を示す。
【符号の説明】
【００３７】
２…アンテナ支持杆，２ａ…係止孔，２ｂ…貫通孔，３…反射器，３ａ…反射器支持杆，３ｂ…反射エレメント，８…アンテナマスト，１０…取付アングル，１１…係止部，１１ａ…挿通孔，１１ｂ…突起部，１２…取付部，１２ａ，１２ｂ，…挿通孔，１２ｃ…係止片，１３…湾曲部，１３ａ…爪部，１４…平板部，１５…螺子棒，１６…ナット，２０…受金具，２１…切起部，２２…受金部，２２ａ，２２ｂ…挿通孔，２３…凹部，２４，２６…螺子棒，２５，２７…ナット
３０…挟持片，３１…湾曲部，３２…挿通孔
４０…取付アングル，４１…係止部，４１ａ…挿通孔，４２…当付平板部，４２ａ…挿通孔，４３…当付部，４３ａ…挿通孔，４４…取付部，４５…湾曲部，４６…平板部，４７…螺子棒，４８…ナット
５０…受金具，５１…凹部，５２…平板部，５２ａ…挿通孔，５３…Ｕ字ボルト，５３ａ…連結部，５３ｂ…折曲部，５４…螺子棒，５５…ナット
【図１】
2005269252.tif 000003
【図２】
2005269252.tif 000004
【図３】
2005269252.tif 000005
【図４】
2005269252.tif 000006
【図５】
2005269252.tif 000007
【図６】
2005269252.tif 000008
【図７】
2005269252.tif 000009
【図８】
2005269252.tif 000010
【図９】
2005269252.tif 000011